(57)【要約】【課題】４種類の電圧を印加させた情報表示装置において、クロストークが原因となる表示品質の低下を抑制させた情報表示装置を提供する。【解決手段】  画像表示モジュール３００は、電圧ＨＶ、電圧ＭＨＶ、電圧ＭＬＶ及び電圧ＬＶの４種類の電圧を印加でき、４種類の電圧は、電圧ＨＶ＞電圧ＭＨＶ＞電圧ＭＬＶ＞電圧ＬＶ≧０の関係を満たし、選択された表示媒体９０が間にある表面電極４０ａ及び裏面電極４０ｂとのうち、表面電極４０ａに電圧ＨＶを印加し、裏面電極４０ｂに電圧ＬＶを印加し、表示媒体９０を移動させ、電圧ＨＶが印加された表面電極４０ａ以外の残りの表面電極４０ａには、電圧ＭＬＶを印加し、電圧ＬＶが印加された裏面電極４０ｂ以外の残りの裏面電極４０ｂには、電圧ＭＨＶを印加し、ＭＨＶとＭＬＶとの電圧差は、表示媒体９０が移動を開始する電圧のしきい値よりも小さい。【選択図】図７
2011209321.tif 000002
【特許請求の範囲】
【請求項１】
少なくとも一方が透明な一対の電極部と、
前記一対の電極部と対応して設けられ、少なくとも一方が透明な一対の基板と、
前記一対の電極部の間に封入され、電界が与えられることによって何れかの電極に向けて移動する表示媒体と、
前記一対の電極部に電圧を印加することによって前記表示媒体を駆動する駆動部とを備え、
前記一対の電極部は、前記一対の基板のうち一方の基板側において、平行に配列された複数の第１電極と、前記一対の基板のうち他方の基板側において、平行に配列された第２電極とを有し、
前記複数の第１電極と前記複数の第２電極とは、前記一対の基板の平面視において、交差して形成される情報表示装置であって、
駆動部は、電圧ＨＶ、電圧ＭＨＶ、電圧ＭＬＶ及び電圧ＬＶの４種類の電圧を印加でき、
前記４種類の電圧は、電圧ＨＶ＞電圧ＭＨＶ＞電圧ＭＬＶ＞電圧ＬＶ≧０の関係を満たし、
選択された表示媒体が間にある第１電極と第２電極とのうち、前記第１電極に前記電圧ＨＶを印加し、前記第２電極に前記電圧ＬＶを印加し、表示媒体を移動させ、
前記電圧ＨＶが印加された前記第１電極以外の残りの第１電極には、前記電圧ＭＬＶを印加し、前記電圧ＬＶが印加された前記第２電極以外の残りの第２電極には、前記電圧ＭＨＶを印加し、
前記ＭＨＶと前記ＭＬＶとの電圧差は、前記表示媒体が移動を開始する電圧のしきい値よりも小さい情報表示装置。
【請求項２】
前記表示媒体は、移動を開始するしきい値が異なる複数種類の表示媒体からなり、
前記ＭＨＶと前記ＭＬＶとの電圧差は、前記複数種類の表示媒体の前記しきい値のうち、最も低い前記しきい値よりも小さい請求項１に記載の情報表示装置。
【発明の詳細な説明】
【技術分野】
【０００１】
本発明は、電気的に駆動可能な表示媒体を用いた情報表示装置に関する。
【背景技術】
【０００２】
従来、電気的に駆動可能な粒子などの表示媒体（例えば、電子粉流体（登録商標）などの帯電性粒子を含んだ複数の粒子群）を用いた表示媒体移動型の情報表示装置が知られている。このような情報表示装置は、基本的に表示される画像の書き換え時のみに電力を必要とするため、電子ペーパーなどに好適に用いることができる。
【０００３】
上述した従来の情報表示装置において、画像等の情報を表示するための駆動方法の一例として、４電位駆動方法が知られている（特許文献１参照）。
【０００４】
４電位駆動方法とは、基準電圧ＬＶと、ＬＶに対して表示媒体が必要量移動する電位を与える電圧であるＨＶと、ＨＶのほぼ２／３であるＭＨＶ（＝（ＨＶ−ＬＶ）×２／３＋ＬＶ）と、ＨＶのほぼ１／３であるＭＬＶ（＝（ＨＶ−ＬＶ）×１／３＋ＬＶ）とを用いてクロストーク電位を低減させる方法である。
【０００５】
具体的には、図１を用いて説明する。図１は、従来の情報表示装置における４電位駆動法の一例を説明するための模式図である。
【０００６】
全面が白色に表示されている画像表示パネル１００において、画素Ｇ４２、画素Ｇ４３、画素Ｇ５２及び画素Ｇ５３に黒色を表示させる。黒色表示媒体は、正に帯電しており、白色表示媒体は、負に帯電している。この場合、行電極４４ｂ及び行電極４５ｂにＨＶを印加する。列電極４２ａ及び列電極４３ａにＬＶを印加する。これによって、表示媒体が反転して、図１に示されるように、黒色が表示される。一方、クロストークを抑えるために、残りの行電極には、ＭＬＶが印加され、残りの列電極には、ＭＨＶが印加される。
【先行技術文献】
【特許文献】
【０００７】
【特許文献１】特開２００７−２６４２２５号公報（段落[０００８]、[０００９]）
【発明の概要】
【発明が解決しようとする課題】
【０００８】
４電位駆動方法では、ＨＶとＭＨＶとの電圧差であるＭＶ１と、ＭＨＶとＭＬＶとの電圧差であるＭＶ２と、ＭＬＶとＬＶとの電圧差であるＭＮ３との電圧差が均等になるように設定されている。これによって、選択された画素以外の画素のクロストークを抑制している。
【０００９】
しかしながら、上記電位差が、表示媒体が移動を開始する電圧のしきい値よりも大きい場合は、選択されていない画素全てにおいてクロストークが生じてしまう。これによって、図１に示されるように、画面全体の表示が灰色になってしまい、情報表示装置の表示品質が低下するという問題があった。
【００１０】
そこで、本発明は、このような状況に鑑みてなされたものであり、４種類の電圧を印加させた情報表示装置において、クロストークが原因となる表示品質の低下を抑制させた情報表示装置を提供することを目的とする。
【課題を解決するための手段】
【００１１】
上述した課題を解決するため、本発明は、次のような特徴を有している。本発明の特徴は、少なくとも一方が透明な一対の電極部と、前記一対の電極部と対応して設けられ、少なくとも一方が透明な一対の基板と、前記一対の電極部の間に封入され、電界が与えられることによって何れかの電極に向けて移動する表示媒体と、前記一対の電極部に電圧を印加することによって前記表示媒体を駆動する駆動部とを備え、前記一対の電極部は、前記一対の基板のうち一方の基板側において、平行に配列された複数の第１電極と、前記一対の基板のうち他方の基板側において、平行に配列された第２電極とを有し、前記複数の第１電極と前記複数の第２電極とは、前記一対の基板の平面視において、交差して形成される情報表示装置であって、駆動部は、電圧ＨＶ、電圧ＭＨＶ、電圧ＭＬＶ及び電圧ＬＶの４種類の電圧を印加でき、前記４種類の電圧は、電圧ＨＶ＞電圧ＭＨＶ＞電圧ＭＬＶ＞電圧ＬＶ≧０の関係を満たし、選択された表示媒体が間にある第１電極と第２電極とのうち、前記第１電極に前記電圧ＨＶを印加し、前記第２電極に前記電圧ＬＶを印加し、表示媒体を移動させ、前記電圧ＨＶが印加された前記第１電極以外の残りの第１電極には、前記電圧ＭＬＶを印加し、前記電圧ＬＶが印加された前記第２電極以外の残りの第２電極には、前記電圧ＭＨＶを印加し、前記ＭＨＶと前記ＭＬＶとの電圧差は、前記表示媒体が移動を開始する電圧のしきい値よりも小さいことを要旨とする。
【発明の効果】
【００１２】
本発明に係る情報表示装置によれば、４種類の電圧を印加させてクロストークを低減させる場合において、クロストークが原因となる表示品質の低下を抑制させられる。
【図面の簡単な説明】
【００１３】
【図１】図１は、従来の情報表示装置における４電位駆動法の一例を説明するための模式図である。
【図２】図２は、本発明の実施形態に係る情報表示装置１０の概略斜視図である。
【図３】図３（ａ）及び図３（ｂ）は、本発明の実施形態に係る画像表示パネル１００の幅方向（Ｙ方向）及び高さ方向（Ｚ方向）に沿った断面図である。
【図４】図４は、本発明の実施形態に係る画像表示パネル１００の駆動に関連するハードウェアのブロック構成図である。
【図５】図５は、本発明の実施形態に係る情報表示装置１０の論理ブロック構成図である。
【図６】図６は、本発明の実施形態に係る画像表示パネル１００の情報表示方法を説明するための模式図である。
【図７】図７は、本発明の実施形態に係る画像表示パネル１００の情報表示方法を説明するための模式図である。
【図８】図８は、白色表示媒体９０Ｗ及び黒色表示媒体９０Ｂの印加電圧値に対する移動粒子数の関係を表すグラフである。
【発明を実施するための形態】
【００１４】
本発明に係る情報表示装置の一例について、図面を参照しながら説明する。以下の図面の記載において、同一または類似の部分には、同一又は類似の符号を付している。図面は模式的なのものであり、各寸法の比率などは現実のものとは異なることを留意すべきである。従って、具体的な寸法などは以下の説明を参酌して判断すべきものである。図面相互間においても互いの寸法の関係や比率が異なる部分が含まれていることは勿論である。
【００１５】
（１）情報表示装置の概略構成
図２は、本実施形態に係る情報表示装置１０の概略斜視図である。図１に示すように、情報表示装置１０は、画像表示パネル１００と筐体２００とを有する。画像表示パネル１００は、情報表示装置１０に読み込まれた画像データに基づいて画像を表示する。筐体２００は、画像表示パネル１００及び画像表示パネル１００を駆動する電源やプリント回路基板（ＰＣＢ）などを収容する。筐体２００の側部には、メモリカードのスロット及びUSBインタフェース（不図示）などが設けられてもよい。
【００１６】
画像表示パネル１００は、表示媒体移動型であり、具体的には、白色と黒色の電子粉流体（登録商標）などの帯電性粒子を含んだ複数の粒子群が用いられる。画像表示パネル１００のサイズは、特に限定されないが、本実施形態では、６インチ〜１５インチ程度であるものとして以下説明する。
【００１７】
（２）画像表示パネルの構造
図３（ａ）及び（ｂ）は、画像表示パネル１００の幅方向（Ｙ方向）及び高さ方向（Ｚ方向）に沿った断面図である。具体的には、図３（ａ）は、白色表示媒体９０Ｗが情報表示面側（図中の「目」のマークを参照）に位置している状態を示し、図３（ｂ）は、黒色表示媒体９０Ｂが情報表示面側に位置している状態を示す。
【００１８】
図３（ａ）及び（ｂ）に示すように、画像表示パネル１００は、表面基板２０ａ、裏面基板２０ｂ、表面電極４０ａ、裏面電極４０ｂ及び隔壁５０を有する。
【００１９】
一対の表面基板２０ａ及び裏面基板２０ｂのうち、表面基板２０ａは、情報表示面側に形成される。表面基板２０ａは透明な基板である。表面基板２０ａは、可視光の透過率が高く、かつ耐熱性のよいものが好ましい。裏面基板２０ｂは、表面基板２０ａと対向する。本実施形態では、裏面基板２０ｂも透明な基板である。なお、裏面基板２０ｂは必ずしも透明でなくてもよく、一方の基板（表面基板２０ａ）が透明であればよい。
【００２０】
表面基板２０ａ及び裏面基板２０ｂは、一対の電極部（表面電極４０ａ，裏面電極４０ｂ）に対応して設けられる。具体的には、表面基板２０ａ及び裏面基板２０ｂは、表面電極４０ａ，裏面電極４０ｂよりも外側にそれぞれ設けられる。
【００２１】
表面電極４０ａは、表面基板２０ａ側に形成される透明な電極である。表面電極４０ａは、表面基板２０ａ上に形成されている。裏面電極４０ｂは、裏面基板２０ｂ側に形成される電極である。裏面電極４０ｂは裏面基板２０ｂ上に形成されている。表面電極４０ａ及び裏面電極４０ｂは、細長い帯状の電極であり、互いに直交するように配設、つまり、マトリックス状に配設されており、画像表示パネル１００では、パッシブマトリックス駆動方式が用いられる。
【００２２】
具体的には、表面電極４０ａは、画像表示パネル１００の長さ方向（Ｘ方向）に沿って複数配設される。すなわち、表面電極４０ａは、平行に配列された列電極４１ａ、列電極４２ａ、・・・を有する（図６参照）。一方、裏面電極４０ｂは、画像表示パネル１００の幅方向（Ｙ方向）に沿って複数配設される。すなわち、裏面電極４０ｂは、平行に配列された行電極４１ｂ、行電極４２ｂ、・・・を有する（図６参照）。本実施形態において、表面電極４０ａは、所定方向に配設された複数の第１電極を有する。裏面電極４０ｂは、所定方向と直交する方向に配設された複数の第２電極を有する。表面基板２０ａと裏面基板２０ｂの平面視において、表面電極４０ａと裏面電極４０ｂとが交差するそれぞれの部分が、画素に対応する。
【００２３】
隔壁５０は、表面基板２０ａと裏面基板２０ｂとの間に形成される。隔壁５０は、白色表示媒体９０Ｗ及び黒色表示媒体９０Ｂが封入される空間Ｓを仕切る。隔壁５０は、表面基板２０ａと裏面基板２０ｂとの間の空間を確保するために設けられる。空間Ｓには、白色表示媒体９０Ｗ及び黒色表示媒体９０Ｂの他に、気体（例えば、空気）が封入されている。隔壁５０は、表面基板２０ａ側からの視点において格子状に形成される。格子状とは、所定の空間が形成されるように、周期的に配置されていればよい。なお、本実施形態において、空間Ｓには、気体が封入されているが、空間Ｓは、真空であっても良い。
【００２４】
なお、上述した表面基板２０ａ、裏面基板２０ｂ、表面電極４０ａ、裏面電極４０ｂ及び隔壁５０としては、上述した特開２００８−１５８５０９号公報などに記載されている材料を適宜用いることができる。
【００２５】
また、画像表示パネル１００は、有色層７０及び散乱層８０を有する。有色層７０は、裏面基板２０ｂの外側に形成される。裏面基板２０ｂの外側とは、表面基板２０ａ側とは反対側をいう。有色層７０は、裏面基板２０ｂの外側の表面上に形成されている。なお、有色層７０は、表面基板２０ａ側からの視点において、隔壁５０と対応する部分に形成されていてもよい。有色層の材料としては、例えば、顔料が配合されたＰＥＴ（ホ゜リエチレンテレフタレート）フィルムが用いられる。
【００２６】
散乱層８０は、表面基板２０ａの外側に形成されている。表面基板２０ａの外側とは、裏面基板２０ｂ側とは反対側をいう。散乱層８０は、表面基板２０ａ上に形成されている。散乱層８０は、光を散乱する。散乱層８０は、光を散乱すれば、散乱方法は問わない。例えば、散乱層８０の表面に凹凸を有することにより、光を散乱させる。
【００２７】
白色表示媒体９０Ｗ及び黒色表示媒体９０Ｂは、表面電極４０ａと裏面電極４０ｂとの間に封入される。例えば、負帯電性白色粒子を含んだ粒子群である白色表示媒体９０Ｗ及び正帯電性黒色粒子を含んだ粒子群である黒色表示媒体９０Ｂは、表面電極４０ａ及び裏面電極４０ｂを介して電界が与えられることによって何れかの電極に向けて移動する。つまり、白色表示媒体９０Ｗ及び黒色表示媒体９０Ｂは、それぞれ異なる帯電性を有し、電気的に駆動可能である。具体的には、表面電極４０ａと裏面電極４０ｂとに電圧を印加することによって、白色表示媒体９０Ｗ及び黒色表示媒体９０Ｂは、何れかの電極に向けて移動する。
【００２８】
本実施形態では、表面電極４０ａに正の電圧を印加すると、白色表示媒体９０Ｗが表面電極４０ａ側に移動し、黒色表示媒体９０Ｂが裏面電極４０ｂ側に移動する。一方、表面電極４０ａに負の電圧を印加すると、黒色表示媒体９０Ｂが表面電極４０ａ側に移動し、白色表示媒体９０Ｗが裏面電極４０ｂ側に移動する。
【００２９】
帯電性を有する白色表示媒体９０Ｗ及び黒色表示媒体９０Ｂは、その主成分となる樹脂に、必要に応じて、従来と同様に、荷電制御剤、着色剤、無機添加剤等を含ますことができる。
【００３０】
樹脂の例としては、例えば、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００３１】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。
【００３２】
着色剤としては、有機または無機の各種、各色の顔料、染料が使用可能である。
【００３３】
黒色着色剤としては、カーボンブラック、酸化銅、二酸化マンガン、アニリンブラック、活性炭等がある。白色着色剤としては、亜鉛華、酸化チタン、アンチモン白、硫化亜鉛等がある。
【００３４】
体質顔料としては、バライト粉、炭酸バリウム、クレー、シリカ、ホワイトカーボン、タルク、アルミナホワイト等がある。
【００３５】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
【００３６】
これらの顔料および無機系添加剤は、単独であるいは複数組み合わせて用いることができる。このうち特に、黒色顔料としてカーボンブラックが、白色顔料として酸化チタンが好ましい。
【００３７】
（３）情報表示装置のブロック構成
図４は、画像表示パネル１００の駆動に関連するハードウェアのブロック構成図である。図５は、情報表示装置１０の論理ブロック構成図である。
【００３８】
（３．１）ハードウェア構成図４に示すように、情報表示装置１０は、画像表示パネル１００の駆動に関連するハードウェアとして、電源部２１０、ＰＣＢ２２０、ＤＣ−ＤＣコンバータ２２１、コンデンサ２２３Ａ〜２２３Ｄ、コネクタ２２５Ａ，２２５Ｂ及びＴＣＰ２３０を備える。
【００３９】
電源部２１０は、バッテリ、またはＡＣ電源と交直電圧変換器とによって構成される。ＰＣＢ２２０（プリント回路基板）には、ＤＣ−ＤＣコンバータ２２１、コンデンサ２２３Ａ〜２２３Ｄ、コネクタ２２５Ａ，２２５Ｂが搭載される。
【００４０】
ＤＣ−ＤＣコンバータ２２１は、電源部２１０から供給された電源を用いて、画像表示パネル１００を駆動する複数の直流電圧を生成する。具体的には、ＤＣ−ＤＣコンバータ２２１は、４種類の電圧（ＨＶ、ＭＨＶ，ＭＬＶ、ＬＶ）を生成する。本実施形態では、ＬＶはＧＮＤで表されている。これらの電圧は、電圧ＨＶ＞電圧ＭＨＶ＞電圧ＭＬＶ＞電圧ＬＶ≧０の関係を満たす。これらの電圧についての詳細については、後述する。
【００４１】
また、これらの電圧を用いて、電極４０間に、以下の関係を持つ４つの電圧差を生じさせる。ＨＶ−ＬＶで示される電位差及び、以下の３つの電位差（ＭＶ１，ＭＶ２，ＭＶ３）である。
【００４２】
ＭＶ１＝ＨＶ−ＭＨＶ
ＭＶ２＝ＭＨＶ−ＭＬＶ
ＭＶ３＝ＭＬＶ−ＬＶ＝ＭＬＶ
【００４３】
ＴＣＰ２３０（テープキャリアパッケージ）は、画像表示パネル１００に取り付けられている。ＴＣＰ２３０は、画像表示パネル１００を駆動するドライバＩＣ１７０（図４において不図示、図５参照）を実装し、コネクタ２２５Ａ，２２５Ｂと接続される。
【００４４】
コンデンサ２２３Ａ〜２２３Ｄは、ノイズ除去及び電源の安定化のために設けられる。コンデンサは、コネクタ毎に挿入され、ＰＣＢ２２０上において可能な限りコネクタ２２５Ａ，２２５Ｂに近い位置に挿入される。具体的には、コンデンサ２２３Ａ，２２３Ｂは、コネクタ２２５Ａの電源ライン（ＨＶ、ＭＨＶ，ＭＬＶ）とＧＮＤとの間に挿入される。コンデンサ２２３Ｃ，２２３Ｄは、コネクタ２２５Ｂの電源ライン（ＨＶ、ＭＨＶ，ＭＬＶ）とＧＮＤとの間に挿入される。
【００４５】
（３．２）論理ブロック構成
図５に示すように、情報表示装置１０は、画像表示モジュール３００、ＣＰＵ４００及び共通プラットフォーム５００に区分することができる。
【００４６】
画像表示モジュール３００は、表面電極４０ａ及び裏面電極４０ｂに電圧を印加することによって白色表示媒体９０Ｗ及び黒色表示媒体９０Ｂを駆動する。具体的には、画像表示モジュール３００は、上述の電圧ＨＶ、電圧ＭＨＶ、電圧ＭＬＶ及び電圧ＬＶの４種類の電圧を印加する。本実施形態において、画像表示モジュール３００は、駆動部を構成する。
【００４７】
画像表示モジュール３００は、白色表示媒体９０Ｗ及び黒色表示媒体９０Ｂを駆動するために必要なデバイスによって構成される。具体的には、画像表示モジュール３００は、画像表示パネル１００、ロジックコントローラ１５０、高圧電源１６０、及びドライバＩＣ１７０によって構成される。
【００４８】
ロジックコントローラ１５０は、ＣＰＵ４００からの制御に基づいてドライバＩＣ１７０を制御する。具体的には、ロジックコントローラ１５０は、画像表示パネル１００に適切な画像を表示させるために必要な処理が記憶されたチップによって構成される。
【００４９】
高圧電源１６０は、ＤＣ−ＤＣコンバータ２２１（図４参照）によって生成された複数の電圧をドライバＩＣ１７０に供給する。
【００５０】
ドライバＩＣ１７０は、画像表示パネル１００を駆動するＩＣによって構成される。ドライバＩＣ１７０は、ロジックコントローラ１５０からの制御に基づいて、高圧電源１６０から供給された複数の電圧のうち何れかの電圧を選択し、当該電圧値のパルスを出力する。
【００５１】
なお、画像表示モジュール３００にタッチペンなどの位置検出部を設けても良い。
【００５２】
ＣＰＵ４００上では、ユーザアプリケーション、画像処理アプリケーション及びシステムアプリケーション（例えば、外部との通信アプリケーション）が動作する。また、ＣＰＵ４００上では、オペレーティングシステム（例えば、Ｌｉｎｕｘ）及びオペレーティングシステムに対応した各種のデバイスドライバが動作する。ＣＰＵ４００としては、１チップのマイコンなどを用いることができる。
【００５３】
共通プラットフォーム５００は、画像表示モジュール３００及びＣＰＵ４００上で動作するオペレーティングシステム及びデバイスドライバによって構成される。また、情報表示装置１０は、各種メモリ（SDカードなど）へのアクセス機能、USBインタフェース及びBluetoothを搭載することもできる。
【００５４】
（４）情報表示方法
本発明の実施形態に係る情報表示方法について、図６及び図７を参照しながら説明する。図６は、本発明の実施形態に係る画像表示パネル１００の情報表示方法を説明するための模式図である。図７は、本発明の実施形態に係る画像表示パネル１００の情報表示方法を説明するための模式図である。図６及び図７は、画像表示パネル１００の表面基板２０ａ側からの平面視である。
【００５５】
図６において、表面電極４０ａは、列電極４１ａから列電極４６ａを有しており、裏面電極４０ｂは、行電極４１ｂから行電極４６ｂを有している。表面電極４０ａと裏面電極４０ｂとが交差する部分は、画素に対応している。例えば、行電極４１ｂと列電極４１ａとが交差する部分は、画素Ｇ１１となる。他の交差部分についても同様である。
【００５６】
ＨＶのほぼ２／３であるＭＨＶ（＝（ＨＶ−ＬＶ）×２／３＋ＬＶ）と、ＨＶのほぼ１／３であるＭＬＶ（＝（ＨＶ−ＬＶ）×１／３＋ＬＶ）としたときに、ＭＶ１＝ＭＶ２＝ＭＶ３となる。本実施形態に用いられる黒色表示媒体９０Ｂ又は白色表示媒体９０Ｗが移動を開始する電圧のしきい値よりも、ＭＶ１＝ＭＶ２＝ＭＶ３の値は、大きい。また、本実施形態では、表面電極４０ａに正の電圧を印加され、白色表示媒体９０Ｗが表面電極４０ａ側に移動した状態である。すなわち、観測者は、白色が表示されていると視認する。
【００５７】
この状態において、画素Ｇ４２、画素Ｇ４３、画素Ｇ５２及び画素Ｇ５３に黒色を表示させるとする。選択された表示媒体９０が間にある行電極４４ｂ及び行電極４５ｂに電圧ＨＶを印加する。選択された表示媒体９０が間にある列電極４２ａ及び列電極４３ａに電圧ＬＶ（すなわち、ＧＮＤ）を印加する。これに伴って、黒色表示媒体９０Ｂが表面電極４０ａ側に移動する。白色表示媒体９０Ｗが裏面電極４０ｂ側に移動する。これによって、図７に示されるように、黒色が表示される。
【００５８】
その他の画素について、クロストークを抑えるため、電圧ＨＶが印加された行電極以外の残りの電極である行電極４１ｂ、行電極４２ｂ、行電極４３ｂ及び行電極４６ｂに、電圧ＭＬＶを印加し、電圧ＬＶが印加された列電極以外の残りの電極である列電極４１ａ、列電極４２ａ、列電極４３ａ及び列電極４６ａに、電圧ＭＨＶを印加する。これにより、画素Ｇ４１、画素Ｇ４４からＧ４６、画素Ｇ５１、画素Ｇ５４から画素Ｇ５６に対応する電極４０間（領域Ｒ１）には、電圧差ＭＶ１（＝ＨＶ−ＭＨＶ）が生じる。同様に、画素Ｇ１１，画素Ｇ１４から画素Ｇ１６、画素Ｇ２１，画素Ｇ２４から画素Ｇ２６、画素Ｇ３１，画素Ｇ３４から画素Ｇ３６、画素Ｇ６１，画素Ｇ６４から画素Ｇ６６に対応する電極４０間（領域Ｒ２）には、電圧差ＭＶ２（＝ＭＨＶ−ＭＬＶ）が生じる。画素Ｇ１２，画素Ｇ１３，画素Ｇ２２，画素Ｇ２３，画素Ｇ３２，画素Ｇ３３，画素Ｇ６２，画素Ｇ６３に対応する電極４０間（領域Ｒ３）には、電圧差ＭＶ３（＝ＭＬＶ）が生じる。
【００５９】
本実施形態において、電圧差ＭＶ２、すなわち、ＭＨＶとＭＬＶとの電圧差は、黒色表示媒体９０Ｂ及び白色表示媒体９０Ｗが移動を開始する電圧のしきい値よりも小さく設定されている。このため、画素Ｇ１１，画素Ｇ１４から画素Ｇ１６、画素Ｇ２１，画素Ｇ２４から画素Ｇ２６、画素Ｇ３１，画素Ｇ３４から画素Ｇ３６、画素Ｇ６１，画素Ｇ６４から画素Ｇ６６には、クロストークが生じない。従って、選択された表示媒体９０が間にある表面電極４０ａ以外の表面電極４０ａ及び裏面電極４０ｂ以外の裏面電極４０ｂ、すなわち、選択されていない電極４０間に対応する画素においては、白色が視認される。
【００６０】
ここで、ＨＶのほぼ２／３であるＭＨＶ（＝（ＨＶ−ＬＶ）×２／３＋ＬＶ）と、ＨＶのほぼ１／３であるＭＬＶ（＝（ＨＶ−ＬＶ）×１／３＋ＬＶ）としたときに、電圧差ＭＶ２（＝ＭＨＶ−ＭＬＶ）は、黒色表示媒体９０Ｂ又は白色表示媒体９０Ｗが移動を開始するしきい値よりも大きい。このため、本実施形態において、電圧差ＭＶ２（＝ＭＨＶ−ＭＬＶ）を黒色表示媒体９０Ｂ及び白色表示媒体９０Ｗが移動を開始する電圧のしきい値よりも小さく設定するためには、ＭＨＶを小さくするか、ＭＬＶを大きくするか、ＭＨＶを小さくするとともに、ＭＬＶを大きくする必要がある。ＭＨＶを小さくした場合、領域Ｒ１部分は、従来のＭＨＶ（すなわち、ＨＶのほぼ２／３）としたときよりも生じる。領域Ｒ２部分は、従来のＭＬＶ（すなわち、ＨＶのほぼ１／３）と同様のクロストークが生じる。ＭＬＶを大きくした場合、領域Ｒ２部分は、従来のＭＬＶ（すなわち、ＨＶのほぼ１／３）としたときよりも生じる。領域Ｒ１部分は、従来のＭＨＶ（すなわち、ＨＶのほぼ２／３）と同様のクロストークが生じる。
【００６１】
しかしながら、従来のように、選択されていない電極４０間に対応する画素であっても、灰色が視認されていたところが、本実施形態においては、選択されていない電極４０間に対応する画素は、白色が視認される。このため、画面全体としての表示品質の低下が抑制される。特に、選択される電極４０が少ない場合には、領域Ｒ３が大きくなるため、より表示品質の低下が抑制される。
【００６２】
帯電性粒子で構成される表示媒体９０において、印加電圧に対して移動する粒子数の増加率が減少する場合（図８参照）、ＭＨＶを小さく又はＭＬＶを大きくしても、印加電圧の増加分に対して移動する粒子数の増加分は少ない。従って、クロストークにより、移動する粒子数は、従来に比べて、本願実施例の方が少なくなる。このため、表示品質の低下がより抑制される。
【００６３】
本実施形態では、表示媒体９０は、黒色表示媒体９０Ｂ及び白色表示媒体９０Ｗの２種類からなる。すなわち、黒色表示媒体９０Ｂ及び白色表示媒体９０Ｗの移動を開始するしきい値が異なる場合は、低い方のしきい値よりも電圧差ＭＶ２を小さくする。これによって、選択されていない電極４０間において、クロストークは、黒色表示媒体９０Ｂ及び白色表示媒体９０Ｗの両方とも生じない。従って、選択されていない電極４０間に対応する画素では、白色（又は黒色）が視認される。
【００６４】
（５）その他実施形態
本発明の実施形態・変形例を通じて本発明の内容を開示したが、この開示の一部をなす論述及び図面は、本発明を限定するものであると理解すべきではない。本発明はここでは記載していない様々な実施形態を含む。
【００６５】
本発明の実施形態では、画像表示パネル１００は、白黒の画像を表示するものとして説明してきたが、本発明は、カラー画像を表示する場合にも勿論適用できる。
【００６６】
本発明の実施形態では、表示媒体９０は、黒色表示媒体９０Ｂ及び白色表示媒体９０Ｗであったが、その他の色の表示媒体も勿論適用できる。また、表示媒体９０は、黒色表示媒体９０Ｂ及び白色表示媒体９０Ｗの２種類であったが、３種類以上であっても良い。この場合は、表示媒体９０の移動を開始するしきい値が異なる場合は、最も低いしきい値よりも電圧差ＭＶ２を小さくする。これによって、選択されていない電極４０間において、クロストークの発生を確実に抑えることができる。
【００６７】
従って、本発明の技術的範囲は上記の説明から妥当な特許請求の範囲に係る発明特定事項によってのみ定められるものである。
【００６８】
（６）比較・評価
本発明の効果を確かめるため、以下の評価を行った。
【００６９】
まず、白色表示媒体９０Ｗ及び黒色表示媒体９０Ｂの印加電圧値に対する移動粒子数を調べるため、白色表示媒体９０Ｗを以下に示す製法や材料によって製造した。まず、ポリメチルペンテンポリマー（TPX-R18；三井化学社製）１００重量部と、着色剤として二酸化チタン（タイペークCR-90：石原産業社製）１００重量部と、負帯電の荷電制御剤としてフェノール系縮合物（ボントロンＥ８９：オリエント化学製）５重量部とを２軸混練機により溶融混練した。得られた溶融混練物をジェットミル（ラボジェットミルIDS-LJ型：日本ニューマチック（株）製）で細かく粉砕した。この粉砕物を分級機（MDS-2：日本ニュ−マチック工業）を用いて分級することによって、平均粒子径が９．５μｍの負帯電性の白色粒子群を得た。この白色粒子群に外添剤としてシリカ（Ｗａｃｋｅｒ社製  Ｈ３００４）を付着させることによって、白色表示媒体９０Ｗを製造した。
【００７０】
また、黒色表示媒体９０Ｂは、以下に示す製法や材料によって製造した。まず、メチルメタクリレートモノマー（関東化学試薬）６０重量部、及び、１分子中に重合反応基を複数持つ多官能性モノマーとしてエチレングリコールジメタクリレート（和光純薬試薬）４０重量部（約２５ｍｏｌ％）に、正帯電の荷電制御剤としてニグロシン化合物（ボントロンＮ０７：オリエント化学製）３重量部、及び、黒色顔料として、カーボンブラック（スペシャルブラック：デグッサ製）５重量部をサンドミルにより分散させた。分散させた液に界面活性剤（ラウリルパーオキサイド（パーロイルＬ：日本油脂製））を溶解させた。その液を、界面活性剤（ポリオキシエチレンアルキルエーテル硫酸ナトリウム（ラテムルＥ−１１８Ｂ：花王製））を０．５％添加した精製水に懸濁させた。懸濁液をろ過し、得られた粒子を乾燥させた。得られた乾燥物をジェットミル（ラボジェットミルIDS-LJ型：日本ニューマチック（株）製）で細かく粉砕した。この粉砕物を分級機（MDS-2：日本ニュ−マチック工業）を用いて分級することによって、平均粒子径が９．２μｍの黒色粒子群を得た。この黒色粒子群に外添剤としてシリカ（Ｗａｃｋｅｒ社製  Ｈ３０５０ＶＰ）を粒子表面付着させることによって、黒色表示媒体９０Ｂを製造した。
【００７１】
このようにして、得られた白色表示媒体９０Ｗ及び黒色表示媒体９０Ｂをセル（空間Ｓ）に封入した。セルの長さは、一辺（Ｘ方向）の長さが、３００μｍであり、他辺（Ｙ方向）の長さが、３００μｍである。このセルが、１０×１０の１００セル配置された情報表示装置１０を準備した。すなわち、表面電極４０ａは、行電極が１０本有している。裏面電極４０ｂは、列電極が１０本有している。
【００７２】
この情報表示装置１０を用いて、以下のようにして、白色表示媒体９０Ｗ及び黒色表示媒体９０Ｂの印加電圧値に対する移動粒子数の関係を調べた。
【００７３】
表面電極４０ａに２００Ｖ、裏面電極４０ｂに０Ｖとなるように、電圧を印加した。これによって、表面電極４０ａ側には、白色表示媒体９０Ｗが移動した。裏面電極４０ｂ側には、黒色表示媒体９０Ｂが移動した。
【００７４】
次に、表面電極４０ａの電圧を０として、裏面電極４０ｂの電圧を０から１Ｖずつ上げながら印加した。１Ｖあげるごとに、表面電極４０ａ側に移動した黒色表示媒体９０Ｂの数を計測した。裏面電極４０ｂの電圧を１００Ｖまで印加した。このときの表面電極４０ａ側に移動した黒色表示媒体９０Ｂの数を１と規格化して、印加電圧との関係を表したグラフが図８である。
【００７５】
白色表示媒体９０Ｗについても、同様にして、印加電圧値に対する移動粒子数の関係を調べた。具体的には、表面電極４０ａに０Ｖ、裏面電極４０ｂに２００Ｖとなるように、電圧を印加した。これによって、表面電極４０ａ側には、黒色表示媒体９０Ｂが移動した。裏面電極４０ｂ側には、白色表示媒体９０Ｗが移動した。
【００７６】
次に、表面電極４０ａの電圧を０として、裏面電極４０ｂの電圧を０から１Ｖずつ上げながら印加した。１Ｖあげるごとに、表面電極４０ａ側に移動した白色表示媒体９０Ｗの数を計測した。裏面電極４０ｂの電圧を１００Ｖまで印加した。このときの表面電極４０ａ側に移動した白色表示媒体９０Ｗの数を１と規格化して、印加電圧との関係を表したグラフが図８である。
【００７７】
図８に示されるように、黒色表示媒体９０Ｂは、白色表示媒体９０Ｗよりも低い印加電圧で移動し始めている。具体的には、黒色表示媒体９０Ｂが移動を開始するしきい値は、１５Ｖであり、白色表示媒体９０Ｗが移動を開始するしきい値は、２４Ｖであった。すなわち、上記した製法及び材料により得られた黒色表示媒体９０Ｂは、１５Ｖ未満の印加電圧であれば、移動しないことが分かる。上記した製法及び材料により得られた黒色表示媒体９０Ｂは、２４Ｖ未満の印加電圧であれば、移動しないことが分かる。
【００７８】
図８から分かるように、白色表示媒体９０Ｗ及び黒色表示媒体９０Ｂのいずれの場合も、印加電圧に対して移動する粒子数の増加率が減少している。具体的には、例えば、黒色表示媒体９０Ｂにおいて、印加電圧値が１５Ｖのときの移動粒子数は、約０．０３３であり、印加電圧値が１６Ｖのときの移動粒子数は、約０．０６８である。従って、印加電圧に対する移動粒子数の増加率は、約０．０３５である。一方、黒色表示媒体９０Ｂにおいて、印加電圧値が２０Ｖのときの移動粒子数は、約０．１７２であり、印加電圧値が２１Ｖのときの移動粒子数は、約０．１９４である。従って、印加電圧に対する移動粒子数の増加率は、約０．０２２である。このように、印加電圧の増加分に対する移動する粒子数の増加分は減少していることが分かる。すなわち、印加電圧値が増えるほど、移動粒数の増加分は、減少していることが分かる。
【００７９】
次に、同一の白色表示媒体９０Ｗ及び黒色表示媒体９０Ｂを用いて、クロストークの有無を観察した。具体的には、１０×１０の１００セル配置された情報表示装置１０において、白色（白色表示媒体９０Ｗ）が表示されている状態から、中心部のセル（４×４）を黒色（黒色表示媒体９０Ｂ）に表示した場合の見た目を評価した。実施例では、ＨＶを８０Ｖ、ＭＨＶを４０Ｖ、ＭＬＶを２７Ｖ、ＬＶを０Ｖとした。比較例では、ＨＶを８１Ｖ、ＭＨＶを５４Ｖ、ＭＬＶを２７Ｖ、ＬＶを０Ｖとした。
【００８０】
実施例では、選択されていない電極部分では、白色が視認された。これは、ＭＶ２（＝ＭＨＶ−ＭＬＶ）が１３Ｖであるため、白色表示媒体９０Ｗ及び黒色表示媒体９０Ｂも移動しない印加電圧値なためである。選択された電極部分は、わずかに灰色に視認された。一方、比較例では、白色表示されている部分は、わずかに灰色と視認された。一部の実施例の灰色部分は、比較例の灰色部分よりも、灰色がわずかに濃く視認されたものの、全体として画像表示パネル１００を視認した場合、実施例の方が白色部分と黒色部分とが明瞭であった。従って、実施例の方が、比較例と比べて、クロストークによる表示品質の低下が抑制できることが分かった。
【符号の説明】
【００８１】
Ｇ１１〜Ｇ６６…画素
Ｓ…空間
１０…情報表示装置
２０ａ…表面基板
２０ｂ…裏面基板
４０…電極
４０ａ…表面電極
４０ｂ…裏面電極
４１ａ〜４６ａ…列電極
４１ｂ〜４６ｂ…行電極
５０…隔壁
７０…有色層
８０…散乱層
９０…表示媒体
９０Ｂ…黒色表示媒体
９０Ｗ…白色表示媒体
１００…画像表示パネル
１５０…ロジックコントローラ
１６０…高圧電源
１７０…ＩＣ
２００…筐体
２１０…電源部
２２０…ＰＣＢ
２２１…ＤＣコンバータ
２２３Ａ，２２３Ｂ…コンデンサ
２２３Ａ〜２２３Ｄ…コンデンサ
２２３Ｃ，２２３Ｄ…コンデンサ
２２５Ａ…コネクタ
２２５Ａ，２２５Ｂ…コネクタ
２２５Ｂ…コネクタ
２３０…ＴＣＰ
３００…画像表示モジュール
４００…ＣＰＵ
５００…共通プラットフォーム
【図１】
2011209321.tif 000003
【図２】
2011209321.tif 000004
【図３】
2011209321.tif 000005
【図４】
2011209321.tif 000006
【図５】
2011209321.tif 000007
【図６】
2011209321.tif 000008
【図７】
2011209321.tif 000009
【図８】
2011209321.tif 000010